(57)【特許請求の範囲】
【請求項１】
少なくとも画像形成部を有する装置本体と、前記装置本体の上側に設けられた画像読み取りユニットと、前記装置本体に設けられた側板とを備えた、画像形成装置であって、
前記装置本体は、上面に、前記画像読み取りユニットを固定するための本体側嵌合部材を有し、
前記画像読み取りユニットは、下面に、前記本体側嵌合部材と嵌合するユニット側嵌合部材を有し、
前記側板は、前記装置本体の左右両側面の全体を覆う側面部と、前記側面部から前記装置本体の背面に沿うように張り出した背面部とを有しており、
前記側板の前記背面部の上部は、前記画像読み取りユニットの前記嵌合状態が解除される方向への前記画像読み取りユニットの移動を阻止するように、前記画像読み取りユニットの一部に当接しており、
前記画像読み取りユニットの前記嵌合状態が解除される方向は、前記装置本体を基準として、前記装置本体の前面側から背面側へ向かう方向であり、
前記ユニット側嵌合部材は、
前記下面に形成された、複数の貫通孔を有し、
前記本体側嵌合部材は、
前記上面と垂直に設けられた垂直部と、前記装置本体の前面側から背面側に向かって、前記垂直部の先端から突出するように形成された水平部とを持つ、複数のフック部材を有し、
前記複数のフック部材は、前記複数の貫通孔に対応する位置に設けられており、
前記貫通孔は前記装置本体の前面側から背面側に向かって延びた長孔であり、前記長孔の縁の内で前記背面側に位置する縁が、前記嵌合状態において前記水平部と前記上面の間に配置されている、画像形成装置。
【発明の詳細な説明】
【技術分野】
【０００１】
本発明は、画像形成装置に関する。
【背景技術】
【０００２】
複写機には、原稿の画像データを読み取るための画像読み取りユニットが上部に設けられている。この画像読み取り装置の上面には原稿載置ガラスが設けられており、原稿載置ガラスに載置された原稿の画像データが読み込まれる。
【０００３】
また、画像読み取りユニットの下側には、感光体ドラム等から構成される画像形成部などを有する装置本体が配置されている（例えば、特許文献１参照）。
【０００４】
このような複写機では、装置本体に画像読み取りユニットを取付る際には、装置本体と位置合わせを行いネジによって固定していた。
【特許文献１】特開２００７−０６５４０４号公報
【発明の開示】
【発明が解決しようとする課題】
【０００５】
しかしながら、画像読み取りユニットを装置本体に取り付ける際には、治具を用いて、装置本体に形成されているネジ穴と画像読み取りユニットに形成されているネジ穴の位置を一致させた後に、ネジを差し込んで固定する必要があるため、手間がかかるものであった。
【０００６】
本発明は、上記従来の画像形成装置の課題を考慮し、容易に組み立てることが可能な画像形成装置を提供することを目的とする。
【課題を解決するための手段】
【０００７】
上記目的を達成するために、第１の本発明は、
少なくとも画像形成部を有する装置本体と、前記装置本体の上側に設けられた画像読み取りユニットと、前記装置本体に設けられた側板とを備えた、画像形成装置であって、
前記装置本体は、上面に、前記画像読み取りユニットを固定するための本体側嵌合部材を有し、
前記画像読み取りユニットは、下面に、前記本体側嵌合部材と嵌合するユニット側嵌合部材を有し、
前記側板は、前記装置本体の左右両側面の全体を覆う側面部と、前記側面部から前記装置本体の背面に沿うように張り出した背面部とを有しており、
前記側板の前記背面部の上部は、前記画像読み取りユニットの前記嵌合状態が解除される方向への前記画像読み取りユニットの移動を阻止するように、前記画像読み取りユニットの一部に当接しており、
前記画像読み取りユニットの前記嵌合状態が解除される方向は、前記装置本体を基準として、前記装置本体の前面側から背面側へ向かう方向であり、
前記ユニット側嵌合部材は、
前記下面に形成された、複数の貫通孔を有し、
前記本体側嵌合部材は、
前記上面と垂直に設けられた垂直部と、前記装置本体の前面側から背面側に向かって、前記垂直部の先端から突出するように形成された水平部とを持つ、複数のフック部材を有し、
前記複数のフック部材は、前記複数の貫通孔に対応する位置に設けられており、
前記貫通孔は前記装置本体の前面側から背面側に向かって延びた長孔であり、前記長孔の縁の内で前記背面側に位置する縁が、前記嵌合状態において前記水平部と前記上面の間に配置されている、画像形成装置である。
【０００９】
本願発明に関連する第１の発明は、
少なくとも画像形成部を有する装置本体と、前記装置本体の上側に設けられた画像読み取りユニットとを備えた、画像形成装置であって、
前記装置本体は、上面に、前記画像読み取りユニットを固定するための本体側嵌合部材を有し、
前記画像読み取りユニットは、下面に、前記本体側嵌合部材と嵌合するユニット側嵌合部材を有し、
前記画像読み取りユニットは、前記嵌合状態が解除されることを阻止するように、前記装置本体と締結部材によって締結されている、画像形成装置である。
【００１０】
又、本願発明に関連する第２の発明は、
前記本体側嵌合部材は、
前記上面と垂直に設けられた垂直部と、前記装置本体を基準として、前記嵌合状態を解除するための前記画像読み取りユニットの移動方向に向かって、前記垂直部の先端から突出するように形成された水平部とを持つ、前記上面の端に沿って直線上に設けられた複数のフック部材と、
前記水平部の先端が斜め上方を向くように、前記複数のフック部材をそれぞれ付勢する複数の弾性部材とを有し、
前記ユニット側嵌合部材は、
前記下面に、前記フック部材の前記水平部に対応する形状の複数の凹部を有する、本発明に関連する第１の発明の画像形成装置である。
【００１１】
又、本願発明に関連する第３の発明は、
前記ユニット側嵌合部材は、
前記下面の下方に、前記下面の端に沿って一直線上に設けられた複数の軸と、
前記複数の軸の夫々の両端を支持するために、前記下面から下方に突出した複数の一対の軸支持部とを有し、
前記本体側嵌合部材は、
各々の前記軸が挿入されている挿入部と、前記挿入部に前記軸を挿入するための挿入ゲートとを持つ、複数の軸受け部を有する、本発明に関連する第１の発明の画像形成装置である。
【００１２】
又、第６の本発明は、
前記軸は、周方向の径が異なっており、前記挿入ゲートの幅は、前記軸の最大径よりも小さく、最小径より大きい、第５の本発明の画像形成装置である。
【発明の効果】
【００１３】
本発明によれば、容易に組み立てることが可能な画像形成装置を提供することが出来る。
【発明を実施するための最良の形態】
【００１４】
以下、本発明にかかる画像形成装置の一例としての複写機について図面を参照しながら説明する。
【００１５】
（実施の形態１）
はじめに、本発明にかかる実施の形態１の複写機の構成について説明する。
【００１６】
図１に示すように、本実施の形態の複写機１は、上部に、原稿の画像データを読み取る画像読み取りユニット２と、画像読み取りユニット２の下側に配置されている装置本体３とを備えている。又、複写機１は、装置本体３の下側に、複数の給紙カセット４１が設けられた給紙カセット部４を備えている。
【００１７】
又、画像読み取りユニット２には、原稿載置ガラス２１、原稿載置ガラス２１上に配置された原稿を走査するためのキャリッジ２３、及びキャリッジ２３を移動させるための軸２４等が設けられている。このキャリッジ２３には、原稿載置ガラス２１を通して原稿に光を照射するための光源２２、ＣＣＤ２５、及び原稿からの反射光をＣＣＤ２５に導くためのミラー２６が設けられている。又、画像読み取りユニット２の上部には、原稿載置ガラス２１上に載置された原稿を押さえるための原稿押さえ部５が設けられている。
【００１８】
又、装置本体３には、給紙カセット４１又は手差しトレイ３９から供給された用紙にトナー画像を形成するための、感光体ドラム３１、帯電器３２、露光器３３、現像器３４及びクリーニングユニット３５等から構成される画像形成部３０が設けられている。又、感光体ドラム３１上のトナー画像を用紙に転写するための転写部３６を備えている。
【００１９】
更に、トナー画像を用紙に定着するための定着ユニット３７と、トナー画像が定着された用紙を排出するための排出ユニット３８が設けられている。尚、図１に示されている点線の矢印は露光器３３からの光路を示しており、矢印が接している部分で感光体ドラム３１に静電潜像が形成される。又、実線矢印は紙の搬送路を示している。
【００２０】
次に、画像読み取りユニット２を装置本体３に取り付けるための構成について説明する。
【００２１】
図２は、画像読み取りユニット２と装置本体３を分離した状態の外観の模式図である。
【００２２】
図２の矢印Ｂに示すように、装置本体３の上面３ａに、画像読み取りユニット２が固定される。画像読み取りユニット２は、上枠体２７と下枠体２８を有しており、装置本体３には側板６が設けられている。尚、複写機１の正面側は矢印Ａ方向であり、画像読み取りユニット２の矢印Ａ側には、複写機１の操作を行うための操作パネルが取り付けられる操作パネル取付部２９が設けられている。又、装置本体３の正面（矢印Ａ方向）が３ｆ、背面が３ｂとして示されており、画像読み取りユニット２の正面（矢印Ａ方向）が２ｆ、背面が２ｂとして示されている。
【００２３】
図３は、下枠体２８と装置本体３を示した模式図である。図３の下枠体２８には、図１で示した軸２４、キャリッジ２３等は図示されていない。又、図３では、側板６も図示していない。図３に示すように、下枠体２８には正面２ｆ側の両端近傍及び背面２ｂ側の両端近傍の計４箇所に貫通孔２００が設けられている。この貫通孔２００は、矢印Ａ方向に沿って長辺が形成された長方形状である。
【００２４】
又、装置本体３の上面３ａに、正面３ｆ側の両端近傍及び背面３ｂ側の両端近傍の計４箇所にフック部材３００が形成されている。これら４箇所のフック部材３００は、上記４つの貫通孔２００に対応した位置に設けられている。
【００２５】
又、図４は、図３のＱ部拡大図である。図４に示すように、フック部材３００は、側面視Ｌ字形状の部材であり、装置本体３の上面３ａから垂直に設けられている垂直部３００ａと、垂直部３００ａの先端から背面３ｂ側に向かって形成された水平部３００ｂとから形成されている。この水平部３００ｂと上面３ａとの間に隙間３００ｄが形成される。尚、図中の３ｆと３ｆを示す矢印は、矢印方向が正面３ｆ側であることを示している。以下の図面においても同様である。
【００２６】
上記構成の複写機における装置本体３への画像読み取りユニット２の取付について説明する。
【００２７】
画像読み取りユニット２を装置本体３へ取り付ける際には、画像読み取りユニット２は軸２４やキャリッジ２３などが組み立てられ、上枠体２７と下枠体２８が組み合わされた図２に示す状態となっている。
【００２８】
装置本体３に画像読み取りユニット２を取り付ける際、はじめに装置本体３の４箇所のフック部材３００を貫通孔２００に通すように、画像読み取りユニット２が装置本体３上に配置される。図５（ａ）は、配置した状態の図３に示したＰ部及びＱ部拡大図である。尚、図５（ａ）では、画像読み取りユニット２のうち下枠体２８のみ示している。又、図５（ｂ）は、（ａ）のＹＹ´断面図である。
【００２９】
この図５（ａ）に示す状態から矢印Ａ方向へ、装置本体３に対して画像読み取りユニット２をスライドさせると、図６（ａ）に示すように貫通孔２００の背面２ｂ側の縁２００ａにフック部材３００が嵌合する。すなわち、縁２００ａが、水平部３００ｂと上面３ａとの隙間３００ｄに配置される。又、縁２００ａに垂直部３００ａが当接する。
【００３０】
又、図６（ｂ）は、図６（ａ）のＹＹ’断面図である。装置本体３に対して画像読み取りユニット２を矢印Ａ方向にスライドさせると、図６（ｂ）に示すように、画像読み取りユニット２の背面２ｂの最後端２ａが、装置本体３の背面３ｂと略同一直線（図中Ｌ）上に配置される。
【００３１】
次に、図７（ａ）に示すように、装置本体３に画像読み取りユニット２が配置された後に、側板６が取り付けられる。この側板６は、画像読み取りユニット２と装置本体３の側面を覆う側面部６ａと、背面を覆う背面部６ｂを有している。側板６を取り付けた状態が、図７（ｂ）に示されている。
【００３２】
図５（ａ）に示すように、装置本体３に対して画像読み取りユニット２をスライドさせただけでは、背面３ｂ方向（矢印Ａと反対方向）への画像読み取りユニット２の位置ズレを規制することが出来ないが、装置本体３の側板６の背面部６ｂの上部６Ｓが、画像読み取りユニット２の背面２ｂに当接しているため、背面３ｂ方向への画像読み取りユニット２の位置ズレが規制される。尚、側面部６ａがなく背面部６ｂのみが設けられている側板を用いても良いが、側面部６ａを設けることによって、横方向へのガタツキも防止することが出来る。尚、上記図７等では、側板６は模式的に示されているが、通風口、手差しトレイ、及び用紙排出用の開口部等が適宜形成されている。
【００３３】
以上のように、本実施の形態では、フック部材３００を貫通孔２００に通し、画像読み取りユニット２を装置本体３に対してスライドさせるだけで、画像読み取りユニット２と装置本体３の位置合わせが出来、更に、側板６を利用して固定することが出来るため、容易に装置本体に画像読み取りユニットを取り付けることが可能となる。これにより、本実施の形態の組立を容易に行うことが出来る。
【００３４】
尚、上記実施の形態では、ネジ止めは行っていないが、より強固に固定するためにネジを用いて、装置本体３に画像読み取りユニット２を更に固定してもよい。この場合においても、画像読み取りユニット２と装置本体３の位置合わせが既に完了しているため、位置合わせのために治具などを用いる必要がなく、容易に取付を行うことが可能となる。
【００３５】
尚、本発明の嵌合状態を解除するための画像読み取りユニットの移動方向とは、本実施の形態では、背面３ｂ側の方向に相当する（図６（ｂ）参照）。又、本発明の貫通孔の縁の一例は、本実施の形態の縁２００ａに相当する。
【００３６】
又、本発明のユニット側嵌合部材の一例は、本実施の形態の貫通孔２００に相当し、本発明の本体側嵌合部材の一例は、本実施の形態のフック部材３００に相当するが、本実施の形態の構成に限るものでなく、装置本体３と画像読み取りユニット２が嵌合によって固定されておりさえすればよい。
【００３７】
例えば、本実施の形態では、フック部材が装置本体３に設けられ、貫通孔が画像読み取りユニット２に設けられているが、フック部材が画像読み取りユニット２に設けられ、貫通孔が装置本体３に設けられていても良い。
【００３８】
又、貫通孔とフック部材に限らず、図８に示すような構成であってもよい。図８（ａ）に示す構成では、装置本体３に平面視Ｕ字形状の部材３３０が形成されており、この部材３３０は背面３ｂ側にＵ字の開口部３３０ａを有している。
【００３９】
対して、画像読み取りユニット２の下面２ｍには、貫通孔の代わりに下方に突出した凸部２２０が形成されている。図８（ｂ）は凸部２２０のみの斜視図である。又、図８（ｃ）は、画像読み取りユニット２の部分側面図である。図に示すように、この凸部２２０は直方体形状であり、正面２ｆから背面２ｂ方向に長手方向を有している。尚、Ｕ字形状の部材３３０及び凸部２２０は、それぞれ複数設けられている。図８（ｄ）に示すように、開口部３３０ａを通して凸部２２０をスライドさせてＵ字形状の部材３３０に嵌め込むことにより、凸部２２０の正面２ｆ側の端面２２０ａがＵ字形状の部材３３０に当接する。これにより装置本体３に対して画像読み取りユニット２の位置合わせを行うことが出来る。次に、図７で示したように側板６を配置することによって、装置本体３への画像読み取りユニット２の取付が完了する。
【００４０】
又、本発明の嵌合状態が解除されることの一例は、本実施の形態では、図６に示す状態から装置本体３を基準にして画像読み取りユニット２を背面３ｂ側にスライドさせることに相当する。そのため、本実施の形態では、側板６の上部６Ｓが少なくとも画像読み取りユニット２の背面２ｂに当接していれば、装置本体３の背面３ｂ側への画像読み取りユニット２の動きを規制することが出来る。
【００４１】
又、本実施の形態では、装置本体３を基準として正面３ｆ方向に画像読み取りユニット２をスライドさせることによって嵌合状態となるようにフック状部材及び貫通孔を形成していたが、背面３ｂ方向にスライドさせることによって嵌合状態となる構成であってもよいし、左側面又は右側面方向にスライドさせることによって嵌合状態となる構成であってもよい。
【００４２】
この場合、嵌合状態とするために画像読み取りユニット２をスライドさせる方向と反対方向の画像読み取りユニットの面に装置本体の側板の上部が当接していれば嵌合状態が解除されることを規制することが出来る。
【００４３】
（実施の形態２）
以下に、本発明にかかる実施の形態２の複写機について説明する。
【００４４】
本実施の形態２における複写機は、実施の形態１と基本的な構成は同じであるが、画像読み取りユニット２と装置本体３とを固定する構成が異なっている。そのため、本相違点を中心に説明する。
【００４５】
図９は、本実施の形態２の画像読み取りユニット２の下枠体２８と装置本体３の斜視図である。図に示すように、本実施の形態２では、下枠体２８の背面２ｂ側の両端に貫通孔２０１が形成されているが、正面２ｆ側には貫通孔が形成されていない。又、下枠体２８の正面２ｆ側の両端近傍には、ネジ穴２０２が形成されている。
【００４６】
又、装置本体３の上面３ａの背面３ｂ側の両端近傍には、２つのフック部材３０１が形成されている。更に、上面３ａの正面３ｆ側の両端近傍には、ネジ穴３０２ａが形成されたネジ穴用台座３０２が設けられている。尚、２つのフック部材３０１は、上記２つの貫通孔２０１と対応した位置に設けられており、２つのネジ穴３０２ａもネジ穴２０２と対応した位置に設けられている。又、本実施の形態２のフック部材３０１も上面３ａから垂直に形成された垂直部３０１ａと、垂直部の先端から水平に形成された水平部３０１ｂとを有しているが、水平部３０１ｂは、垂直部３０１ａの先端から正面３ｆ側に伸びるように設けられている。又、２つのフック部材３０１は、背面３ｂと並行な直線上に配置されている。
【００４７】
尚、本発明の本体側嵌合部材の一例は、本実施の形態のフック部材３０１に相当し、本発明のユニット側嵌合部材の一例は、本実施の形態の貫通孔２０１に相当する。尚、本発明の締結部材の一例は、本実施の形態のネジ４０、ネジ穴２０２、２０４、３０２ａ、及びネジ穴用台座３０２等に相当する。
【００４８】
上記構成の複写機における装置本体３への画像読み取りユニット２の取付について説明する。
【００４９】
図１０は、図９のＸＸ´断面の模式図である。図１０に示すように、２つのフック部材３０１を２つの貫通孔２０１に通した後、画像読み取りユニット２を正面２ｆ側を浮かせた状態で、装置本体３の背面３ｂ側にスライドさせて、貫通孔２０１の正面２ｆ側の縁２０１ｆを垂直部３０１ａに当接させる。
【００５０】
その後、縁２０１ｆと垂直部３０１ａとの当接状態を保ちながら、その当接部を支点として、画像読み取りユニット２の正面２ｆ側が矢印Ｃ方向におろされる。
【００５１】
画像読み取りユニット２の正面側をおろすと、下枠体２８に形成されているネジ穴２０２とネジ穴用台座３０２に形成されているネジ穴３０２ａとが一致する。尚、上枠体２７にもネジ穴２０４が予め形成されている。
【００５２】
そして、最後に、図１１に示すように、画像読み取りユニット２の上枠体２７に設けられているネジ穴２０４の上方からネジ４０によってネジ止めを行うことによって、装置本体３上に画像読み取りユニット２が固定される。尚、上記図１０及び図１１では、画像読み取りユニット２内に配置されているキャリッジ２３等の構成については省略している。又、ネジ穴２０２、２０４、３０２ａの位置としては、原稿載置ガラス２１の部分を避ければ、どの位置に設けられていてもかまわない。
【００５３】
以上のように、本実施の形態では、フック部材３０１と貫通孔２０１を利用することによって、画像読み取りユニット２と装置本体３との間のネジ穴を合わせる等の位置決めを行うことが可能であるため、従来のように治具などを用いて位置決めを行う必要がなく、容易に取り付けることが可能となる。
【００５４】
尚、本発明の嵌合状態を解除するための画像読み取りユニットの移動方向とは、本実施の形態では、正面３ｆ側の方向に相当する（図１０参照）。又、本発明の貫通孔の縁の一例は、本実施の形態の縁２０１ｆに相当する。
【００５５】
又、本実施の形態２では、フック部材３０１が装置本体３の上面３ａに設けられ、貫通孔２０１が画像読み取りユニット２の下面２ｍに設けられているが、フック部材が画像読み取りユニット側に設けられ、貫通孔が装置本体側に設けられていても良い。
【００５６】
（実施の形態３）
次に、本発明にかかる実施の形態３における複写機について説明する。本実施の形態３の複写機は、実施の形態２と基本的な構成は同じであるが、画像読み取りユニット２と装置本体３を固定する構成が異なっている。そのため、本相違点を中心に説明する。
【００５７】
図１２（ａ）は、本実施の形態３の複写機の側断面模式図である。
【００５８】
本実施の形態３では、実施の形態２と同様のフック部材３０１が設けられているが、このフック部材３０１の垂直部３０１ａは直接上面３ａに固定されていない。
【００５９】
本実施の形態では、垂直部３０１ａの背面３ｂ側の面と、上面３ａの間に丁番３１０が設けられている。図１２（ｂ）は、丁番３１０近傍の拡大図である。この丁番３１０にはコイルバネ３１１が設けられており、このコイルバネ３１１によって、水平部３０１ｂの先端３０１ｃが斜め上方を向くように、フック部材３０１が付勢されている（矢印Ｄ参照）。
【００６０】
又、図１３は、貫通孔２０１近傍の拡大図である。図１３に示すように、貫通孔２０１の周囲の正面２ｆ側には、フック部材３０１の水平部３０１ｂが嵌合する形状のフック部材２０３が形成されている。このフック部材２０３も垂直部２０３ａと、その先端から水平に形成された水平部２０３ｂとを有している。この水平部２０３ｂは、垂直部２０３ａの先端から背面２ｂ側に向けて突出するように形成されている。水平部２０３ｂと下枠体２８の下面２ｍとの間の隙間２０３ｄは、フック部材３０１の水平部２００ｂの高さ以上に形成されている。
【００６１】
尚、本発明の本体側嵌合部材の一例は、本実施の形態のフック部材３０１に相当し、本発明のユニット側嵌合部材の一例は、本実施の形態の貫通孔２０１に相当する。尚、本発明の締結部材の一例は、本実施の形態のネジ４０、ネジ穴２０２、２０４、３０２ａ、及びネジ穴用台座３０２等に相当する。又、本実施の形態の凹部の一例は、本実施の形態の下面２ｍ及びフック部材２０３によって形成される隙間２０３ｄに相当する。
【００６２】
上記構成の複写機における装置本体３への画像読み取りユニット２の取付について説明する。
【００６３】
図１４（ａ）、（ｂ）は、図９のＸＸ´断面に相当する本実施の形態の模式図である。図１４（ａ）に示すように、２つのフック部材３０１を２つの貫通孔２０１に通した後、貫通孔２０１の正面２ｆ側の縁２０１ｆに垂直部３０１ａを当接させるとともに、フック部材３０１の水平部３０１ｂを、フック部材２０３の水平部２０３ｂと下面２ｍの間に嵌めるように、装置本体３に対して画像読み取りユニット２をスライドさせる。この際、フック部材３０１が斜め上方を向いているため、上記実施の形態２と比較して画像読み取りユニット２をフック部材３０１に差込やすく、スライドもさせやすい。
【００６４】
その後、縁２０１ｆと垂直部３０１ａとの当接状態を保ちながら、その当接部を支点として、画像読み取りユニット２の正面側（正面２ｆ側）が矢印Ｃ方向におろされる。おろした状態が、図１４（ｂ）に示されている。この際、水平部２０３ｂによって水平部３０１ｂが下方に押されるため、コイルバネ３１１の付勢力に逆らって、フック部材３０１は直立する。
【００６５】
画像読み取りユニット２の正面２ｆ側をおろすと、下枠体２８に形成されているネジ穴２０２とネジ穴用台座３０２に形成されているネジ穴３０２ａとが一致する。
【００６６】
そして、最後に、図１４（ｂ）に示すように、画像読み取りユニット２の上枠体２７の上方からネジ４０によってネジ止めを行うことによって、装置本体３上に画像読み取りユニット２が固定される。尚、上枠体２７にもネジ穴が予め形成されている。又、ネジ穴の位置としては、原稿載置ガラス２１の部分を避ければ、どの位置に設けられていてもかまわない。又、図１４では、画像読み取りユニット２内に配置されているキャリッジ２３等の構成については省略している。
【００６７】
以上のように、本実施の形態では、フック部材３０１と貫通孔２０１を利用して、画像読み取りユニット２と装置本体３との位置決めを行うことが可能であるため、従来のように治具などを用いて位置決めを行う必要がなく、容易に取り付けることが可能となる。
【００６８】
更に、フック部材３０１が可動するため、実施の形態２よりも、装置本体３に対して画像読み取りユニット２の位置合わせを行いやすい。
【００６９】
（実施の形態４）
次に、本発明にかかる実施の形態４の複写機について説明する。
【００７０】
本実施の形態４の複写機も、実施の形態３の複写機と基本的な構成は同じであるが、画像読み取りユニット２と装置本体３を固定する構成が異なる。そのため、本相違点を中心に説明する。
【００７１】
本実施の形態４では、図９で示した２つのフック部材３０１の代わりに、図１５に示す形状の軸受け部５０が２つ設けられている。この軸受け部５０は、直方体形状であり、軸が挿入される挿入部５１と、軸を挿入部５１に挿入するために挿入部５１の正面３ｆ側に形成された挿入ゲート５２とを有している。又、円柱形状の空間である挿入部５１は、その中心軸が背面３ｂと沿うように形成されている。また、２つの軸受け部５０は、背面３ｂと並行な直線上に配置されている。
【００７２】
一方、画像読み取りユニット２には、図９で示したような貫通孔２００は形成されておらず、図１６（ａ）、（ｂ）に示すような、下面２ｍから下方に突出した軸部２１０が設けられている。尚、図１６（ｂ）は、（ａ）のＺＺ´断面図である。この軸部２１０は、下面２ｍから垂直に下方に向けて形成された２つの軸支持部２１１と、２つの軸支持部２１１の先端に、両端が支持された軸２１２とを有している。また、軸２１２は、図１６（ｂ）において、円柱の右斜め上と左斜め下方向が切りかかれてた形状である。この切り欠きによって、軸２１２には対向している２つの平面部２１２ａが形成されている。そのため、軸２１２は、周方向で径が異なり、切りかかれていない部分の径が最大径Ｒｍａｘとなり、平面部２１２ａ間の径が最小径Ｒｍｉｎとなる。上記挿入ゲート５２の幅を５２ｄとすると、幅５２ｄは、Ｒｍｉｎよりも大きく、Ｒｍａｘよりも小さく形成されている。
【００７３】
尚、本発明の本体側嵌合部材の一例は、本実施の形態のフック部材３０１に相当し、本発明のユニット側嵌合部材の一例は、本実施の形態の貫通孔２０１に相当する。尚、本発明の締結部材の一例は、本実施の形態のネジ４０、ネジ穴２０２、２０４、３０２ａ、及びネジ穴用台座３０２等に相当する。
【００７４】
上記構成の複写機における装置本体３への画像読み取りユニット２の取付について説明する。
【００７５】
図１７に示すように、画像読み取りユニット２の正面２ｆ側が背面２ｂ側よりも高くなるようにすることによって、軸２１２に形成された２つの平面部２１２ａが水平に配置される。この平面部２１２ａの間の径はＲｍｉｎであるため、矢印Ｄ方向に画像読み取りユニット２を移動させることによって、軸２１２は、軸受け部５０の挿入部５１内に配置される。配置された状態が、図１８（ａ）に示されている。尚、図１７及び図１８は、軸２１２の中央を通るように切断した側面模式図である。また、画像読み取りユニット２内のキャリッジ２３等の構成については図示を省略している。
【００７６】
この状態から軸２１２を支点にして画像読み取りユニット２の正面２ｆ側を矢印ｃに沿っておろすことにより、図１８（ｂ）に示すようにネジ穴２０２とネジ穴３０２ａが一致し、装置本体３に画像読み取りユニット２の位置決めを行うことが出来る。そして、実施の形態２と同様にネジ４０によってネジ止めを行い固定することが出来る。尚、本実施の形態では、画像読み取りユニット２を回動させる際、軸２１２の切り欠きを除く部分の径Ｒｍａｘは、挿入ゲート５２の幅５２ｄよりも大きいため、軸２１２が挿入部５１から抜けることがない。そのため、安定して画像読み取りユニット２を回動させることが出来る。
【００７７】
尚、本実施の形態では、軸２１２に切り欠きを設けたが、切り欠きを設けずに、軸受け部５０の弾力によって、軸２１２を挿入部５１に嵌め込む構成であってもよい。又、本実施の形態では、軸２１２に２箇所の切り欠きを設けたが、１箇所であってもよい。
【００７８】
又、本実施の形態では、軸受け部５０が装置本体３の上面に設けられ、軸部２１０が画像読み取りユニット２側に設けられているが、軸受け部５０が画像読み取りユニット２側に設けられ、軸部２１０が装置本体３側に設けられていても良い。
【００７９】
尚、上記実施の形態２〜４では、２つのフック部材３０１及び軸受け部５０は、背面３ｂ側の端近傍に設けられているが、正面、左側面、又は右側面側の端近傍に設けられていても良い。
【００８０】
又、上記実施の形態２〜４でも、実施の形態１と同様に側板が設けられていても良い。
【産業上の利用可能性】
【００８１】
本発明の画像形成装置は、容易に組み立てることが可能な効果を有し、複写機、複合機等の画像形成装置として有用である。
【図面の簡単な説明】
【００８２】
【図１】本発明にかかる実施の形態１における複写機の正面構成図
【図２】本発明にかかる実施の形態１における画像読み取りユニット２と装置本体３の外観図
【図３】本発明にかかる実施の形態１における下枠体２８と装置本体３の外観図
【図４】本発明にかかる実施の形態１における複写機のフック部材３００の拡大図
【図５（ａ）】本発明にかかる実施の形態１における画像読み取りユニット２の装置本体３への取付を説明するための斜視図
【図５（ｂ）】本発明にかかる実施の形態１における画像読み取りユニット２の装置本体３への取付を説明するための側断面図
【図６（ａ）】本発明にかかる実施の形態１における画像読み取りユニット２の装置本体３への取付を説明するための斜視図
【図６（ｂ）】本発明にかかる実施の形態１における画像読み取りユニット２の装置本体３への取付を説明するための側断面図
【図７（ａ）】本発明にかかる実施の形態１における側板６の画像読み取りユニット２及び装置本体３への取付を説明するための斜視図
【図７（ｂ）】本発明にかかる実施の形態１における側板６の画像読み取りユニット２及び装置本体３への取付を説明するための斜視図
【図８】（ａ）〜（ｄ）本発明にかかる実施の形態１における画像読み取りユニット２と装置本体３を固定する構成の変形例を説明するための図
【図９】本発明にかかる実施の形態２における下枠体２８と装置本体３の斜視図
【図１０】本発明にかかる実施の形態２における画像読み取りユニット２の装置本体３への取付を説明するための側断面図
【図１１】本発明にかかる実施の形態２における画像読み取りユニット２の装置本体３への取付を説明するための側断面図
【図１２】（ａ）本発明にかかる実施の形態３におけるフック部材３０１の構成を説明するための側面図、（ｂ）（ａ）の部分拡大図
【図１３】本発明にかかる実施の形態３における画像読み取りユニット２側のフック部材２０３の構成を説明するための斜視図
【図１４（ａ）】本発明にかかる実施の形態３における画像読み取りユニット２の装置本体３への取付を説明するための側断面図
【図１４（ｂ）】本発明にかかる実施の形態３における画像読み取りユニット２の装置本体３への取付を説明するための側断面図
【図１５】本発明にかかる実施の形態４における装置本体３の軸受け部５０の構成を説明するための斜視図
【図１６】（ａ）本発明にかかる実施の形態４における画像読み取りユニット２に設けられている軸部２１０の構成を説明するための斜視図、（ｂ）（ａ）のＺＺ´断面図
【図１７】本発明にかかる実施の形態４における画像読み取りユニット２の装置本体３への取付を説明するための側断面図
【図１８（ａ）】本発明にかかる実施の形態４における画像読み取りユニット２の装置本体３への取付を説明するための側断面図
【図１８（ｂ）】本発明にかかる実施の形態４における画像読み取りユニット２の装置本体３への取付を説明するための側断面図
【符号の説明】
【００８３】
１  複写機
２  画像読み取りユニット
３  装置本体
４  給紙カセット部
５  原稿押さえ部
２１  原稿載置ガラス
２２  光源
２３  キャリッジ
２４  軸
２５  ＣＣＤ
２６  ミラー
２７  上枠体
２８  下枠体
２９  操作パネル取付部
２００  貫通孔
３００  フック部材
【図１】
0005232464.tif 000002
【図２】
0005232464.tif 000003
【図３】
0005232464.tif 000004
【図４】
0005232464.tif 000005
【図５（ａ）】
0005232464.tif 000006
【図５（ｂ）】
0005232464.tif 000007
【図６（ａ）】
0005232464.tif 000008
【図６（ｂ）】
0005232464.tif 000009
【図７（ａ）】
0005232464.tif 000010
【図７（ｂ）】
0005232464.tif 000011
【図８】
0005232464.tif 000012
【図９】
0005232464.tif 000013
【図１０】
0005232464.tif 000014
【図１１】
0005232464.tif 000015
【図１２】
0005232464.tif 000016
【図１３】
0005232464.tif 000017
【図１４（ａ）】
0005232464.tif 000018
【図１４（ｂ）】
0005232464.tif 000019
【図１５】
0005232464.tif 000020
【図１６】
0005232464.tif 000021
【図１７】
0005232464.tif 000022
【図１８（ａ）】
0005232464.tif 000023
【図１８（ｂ）】
0005232464.tif 000024